【事件の表示】
　特願２０１２−５１６３４７「高密度及び高帯域幅の光ファイバ装置及び関連機器並びに方法」拒絶査定不服審判事件〔平成２２年１２月２３日国際公開、ＷＯ２０１０／１４８３３６、平成２４年１２月　６日国内公表、特表２０１２−５３０９４４〕について、次のとおり審決する。
【結　論】
　本件審判の請求は、成り立たない。
【理　由】
１．手続の経緯
　本願は、２０１０年６月１８日（パリ条約による優先権主張外国庁受理２００９年６月１９日、米国）を国際出願日とする出願であって、平成２４年２月２１日及び平成２６年８月２５日に手続補正がなされ、同年９月１６日付けで拒絶査定がなされ、これに対し、平成２７年１月２２日に拒絶査定不服審判請求がなされたものである。そして、その請求項に係る発明は、平成２６年８月２５日に補正された特許請求の範囲の請求項１ないし１０に記載された事項により特定されるものであるところ、その請求項１に係る発明（以下「本願発明」という。）は、次の事項により特定されるものである。
　
「光ファイバ装置であって、
　複数の光ファイバコンポーネントを支持するシャーシと、
　前記シャーシが設けられる機器ラックであって、前記機器ラックは１つ又は２つ以上のスペースを有し、１つのスペースは幅の寸法が５８．４２ｃｍ（２３インチ）であり、４．４５ｃｍ（１．７５インチ）の高さ寸法が１−Ｕスペースであり、
　前記複数の光ファイバコンポーネントは前記シャーシに設けられ、前記複数の光ファイバコンポーネントによって占められる領域が、前記１−Ｕスペース内の前記機器ラックの全領域の少なくとも５０％に相当するよう構成され、
　前記複数の光ファイバコンポーネントは前記シャーシに設けられ、少なくとも１つのシンプレックス光ファイバコンポーネント又はデュプレックス光ファイバコンポーネントの使用に基づいて、前記１‐Ｕスペースに少なくとも９８個の光ファイバ接続部を提供するよう構成されている、
　ことを特徴とする光ファイバ装置。」
　　
２．引用例
　これに対して、原査定の拒絶理由に引用された、本願の優先日前に頒布された刊行物である特開２００９−１１５９６２号公報（以下「引用例」という。）には、図とともに次の記載がある（下線は、当審による。）。
　
　ア　「【０００１】
  本発明は、構内外での光コネクタ接続に用いられる光コネクタ接続キットに関する。さらに詳述すると、本発明は、光コネクタ接続に用いられるアダプタモジュールを上下あるいは左右に多段に集積した高密度配線状態で光コネクタ接続を行う光コネクタ接続キットに関するものである。尚、本明細書において光ファイバとは、特に断りがない限り、光コネクタ接続される全ての光ファイバ、例えば光ファイバ心線や光ファィバコードなどを総称するものとして使用している。
【背景技術】
【０００２】
  現在の通信系統において用いられている光成端架や構内キャビネットにおいては、アダプタモジュールに各々接続された光ファイバのキンクなどを避けるため、光接続処理を行うトレイの下に１トレイ分（１ユニット分）の空間を使って光ファイバを引き回すだけのコード配線トレイを用意するようにしている。
【０００３】
  また、光配線盤においては、配線トレイの代わりに、上下の成端ユニット・成端箱の前方でかつ間に成端ユニットから引き出された光ファイバを載せる配線ダクトが備えられることもある（特許文献１）。この場合、光ファイバは、一旦下に垂らされてからラックの横に引き回すための配線ダクトに載せられ、ラックの横に引き回されてからラックの側方の引っかけ部に引っ掛けられて他の設備などに導くように設けられている。
【０００４】
  一方、
近年の通信用光ケーブルの普及により、増大する光コネクタ接続に対処するため構内外での光コネクタ接続の高密度化が要求されている。
光ファイバの配線の高密度化を達成しようとする場合には、多数のアダプタを隙間無く密に配列させたアダプタモジュールを２段以上重ねて配置する接続箱の採用や、あるいは接続箱を薄型にして密に多段に重ねることが考えられる。
　
　イ　「【００２３】
  以下、本発明の構成を図面に示す実施形態に基づいて詳細に説明する。
【００２４】
  
図１〜図７に本発明の光コネクタ接続キットをラック搭載型の接続箱に適用した実施の一形態を示す。この光コネクタ接続キットは、複数のアダプタを一列に配列したアダプタモジュールを少なくとも２段以上多段配列した状態で支持構造物に搭載して多数の光ファイバを光コネクタ接続可能とするものである
【００２５】
  接続箱１は、
アダプタモジュール２並びにその他の必要な装備を搭載するトレイ６と、該トレイ６を摺動可能に支持する基体７と、該基体７をラック２６に取り付けるための取付板８とから構成されている
　
　ウ　「【００２８】
  
トレイ６には、アダプタ２ａを固定するアダプタ保持プレート１３
を備える
アダプタ保持プレート１３は、５０個ずつのデュプレックス型コネクタ２７を横一列に上下に接続可能とする多数のアダプタ２ａを装着するアダプタ挿入口１３ａを備えており、２組のアダプタモジュール２ｕ，２ｄを上下に配置して合計１００心の光ファイバの光接続を可能とするものである
　
　エ　「【００４１】
  また、本実施形態では光成端架に適用した例を対象に説明したが、一列に配置されている複数のアダプタをトレイあるいはその他の筐体に搭載して薄板状のパッケージとして上下方向にあるいは左右方向に多数並べて配設するようにしたあらゆる
光配線装置
　　
　上記イないしエによれば、引用例には、
「アダプタモジュール２並びにその他の必要な装備を搭載するトレイ６と、該トレイ６を摺動可能に支持する基体７と、該基体７をラック２６に取り付けるための取付板８を備え、基体７を取付板８によりラック２６に取り付けた光配線装置であって、
　トレイ６は、アダプタ２ａを固定するアダプタ保持プレート１３を備えており、
　アダプタ保持プレート１３は、５０個ずつのデュプレックス型コネクタ２７を横一列に上下に接続可能とする多数のアダプタ２ａを装着するアダプタ挿入口１３ａを備えており、２組のアダプタモジュール２ｕ，２ｄを上下に配置して合計１００心の光ファイバの光接続を可能とするものである、
　光配線装置。」（以下「引用発明」という。）
が記載されているものと認められる。
　　　　　
３．対比
　本願発明と引用発明を対比する。
（１）引用発明の「アダプタ２ａ」、「基体７」、「ラック２６」及び「光配線装置」は、それぞれ、本願発明の「光ファイバコンポーネント」、「シャーシ」、「機器ラック」及び「光ファイバ装置」に相当する。
（２）引用発明の「ラック２６」は、引用例の図７にみられるように、「基体７」を取り付けるための１つ以上のスペースを有しているものと認められるから、本願発明の「機器ラック」と同様に「１つ又は２つ以上のスペースを有」しているといえる。
（３）引用発明の「アダプタ２ａ」は、「トレイ６」が備える「アダプタ保持プレート１３」に固定され、「トレイ６」は「基体７」に支持されているから、引用発明の「アダプタ２ａ」は、「基体７」に設けられているといえる。
　したがって、引用発明の「アダプタ２ａ」は、本願発明の「光ファイバコンポーネント」と同様に「シャーシに設けられ」ているといえる。
　また、引用発明の「アダプタ２ａ」は、「アダプタ保持プレート１３」に固定されており、「アダプタ保持プレート１３」は「基体７」の一部となっているから、引用発明において、「アダプタ２ａ」が占める領域は、「ラック２６」が「基体７」を支持するためのスペース内の全領域の一部に相当するものと認められる。
　よって、本願発明と引用発明は、「前記複数の光ファイバコンポーネントは前記シャーシに設けられ、前記複数の光ファイバコンポーネントによって占められる領域が、前記スペース内の前記機器ラックの全領域の一部に相当するよう構成され」ている点で一致する。
（４）引用発明において、「アダプタ保持プレート１３は、５０個ずつのデュプレックス型コネクタ２７を横一列に上下に接続可能とする多数のアダプタ２ａを装着するアダプタ挿入口１３ａを備えており、２組のアダプタモジュール２ｕ，２ｄを上下に配置して合計１００心の光ファイバの光接続を可能とするもの」であり、ここで、「アダプタ保持プレート１３」は、「基体７」に設けられており、ラック２６が基体７を支持するスペースの範囲内に位置しているものと認められるから、引用発明と本願発明は、「前記複数の光ファイバコンポーネントは前記シャーシに設けられ、少なくとも１つのシンプレックス光ファイバコンポーネント又はデュプレックス光ファイバコンポーネントの使用に基づいて、機器ラックが有するスペースに少なくとも９８個の光ファイバ接続部を提供するよう構成されている」点で一致する。
　
（５）以上のことから、両者は、
「光ファイバ装置であって、
　複数の光ファイバコンポーネントを支持するシャーシと、
　前記シャーシが設けられる機器ラックであって、前記機器ラックは１つ又は２つ以上のスペースを有し、
　前記複数の光ファイバコンポーネントは前記シャーシに設けられ、前記複数の光ファイバコンポーネントによって占められる領域が、前記スペース内の前記機器ラックの全領域の一部に相当するよう構成され、
　前記複数の光ファイバコンポーネントは前記シャーシに設けられ、少なくとも１つのシンプレックス光ファイバコンポーネント又はデュプレックス光ファイバコンポーネントの使用に基づいて、前記機器ラックが有するスペースに少なくとも９８個の光ファイバ接続部を提供するよう構成されている、
　光ファイバ装置。」の点で一致する。
　
（６）一方、両者は、次の点で相違する。
　本願発明では、機器ラックのスペースについて、「１つのスペースは幅の寸法が５８．４２ｃｍ（２３インチ）であり、４．４５ｃｍ（１．７５インチ）の高さ寸法が１−Ｕスペース」であるとされており、また、「前記複数の光ファイバコンポーネントによって占められる領域が、前記１−Ｕスペース内の前記機器ラックの全領域の少なくとも５０％に相当するよう構成され」ているのに対し、引用発明では、ラック２６が基体７を支持するスペースが上記のような「１−Ｕスペース」であるか不明であり、また、「アダプタ２ａ」によって占められる領域がそのようなものであるか不明な点（以下「相違点」という。）。
　
４．判断
　上記相違点につき検討する。
　引用発明において、ラック２６が基体７を支持するスペースとして、その幅寸法及び高さ寸法をどの程度のものとするかは、当業者が適宜に決定すべき設計的事項であって、幅の寸法を５８．４２ｃｍ（２３インチ）、高さ寸法を４．４５ｃｍ（１．７５インチ）とする１−Ｕスペースを採用することに格別の困難性は認められない。
　しかるところ、引用例の【０００４】には、「近年の通信用光ケーブルの普及により、増大する光コネクタ接続に対処するため構内外での光コネクタ接続の高密度化が要求されている。…光ファイバの配線の高密度化を達成しようとする場合には、多数のアダプタを隙間無く密に配列させたアダプタモジュールを２段以上重ねて配置する接続箱の採用や、あるいは接続箱を薄型にして密に多段に重ねることが考えられる。」と記載され、高密度化を達成するための手段として、「多数のアダプタを隙間無く密に配列させ」ることが示唆されていることに鑑みれば、引用発明においても高密度化の要求に応えるべく、「アダプタ２ａ」を隙間なく密に配列させ、その結果、上記相違点に係る本願発明の発明特定事項とすることに格別の困難性は認められない。　
　　　
５．むすび
　以上のとおりであって、本願発明は、引用例に記載された発明に基づいて当業者が容易に発明できたものであるから、特許法第２９条第２項の規定により特許を受けることができない。
　よって、結論のとおり審決する。